(57)【要約】【課題】リンク機構を用いることにより、小型電子機器の第１の筐体に対する第２の筐体の開成時に第１の筐体の上面の露出量をＵＰして、キーを大きくしたり、キーの数を増やしたりすることのできる、小型電子機器の開閉装置並びに小型電子機器を提供する。【解決手段】小型電子機器の第１の筐体の上面後端部両側に旋回可能に取り付けられた第１リンクレバー及び第２リンクレバーと、第２の筐体の下面に取り付けられると共に前記第１リンクレバー及び第２リンクレバーの自由端側と係合して前記第１リンクレバー及び第２リンクレバーの旋回動作に伴なってスライド動作するスライドプレートと、前記第１リンクレバー及び第２リンクレバーのいずれか一方或は双方と前記スライドプレートとの間に設けたところの当該スライドプレートを所定のスライド位置から開成方向と閉成方向へスライド付勢さるスライド付勢手段とを設けることで解決した。【選択図】  図６
2011205503.tif 000002
【特許請求の範囲】
【請求項１】
第１の筐体と第２の筐体の間に設けられ、第１の筐体と第２の筐体を互いに重なり合った閉成状態と、第１の筐体と第２の筐体を相対的に水平方向へスライドさせて第１の筐体の上面を露出させる開成状態を作り出す開閉装置であって、
第１の筐体の上面後端部両側に旋回可能に取り付けられた第１リンクレバー及び第２リンクレバーと、第２の筐体の下面に取り付けられると共に前記第１リンクレバー及び第２リンクレバーの自由端側と係合して前記第１リンクレバー及び第２リンクレバーの旋回動作に伴なってスライド動作するスライドプレートと、前記第１リンクレバー及び第２リンクレバーのいずれか一方或は双方と前記スライドプレートとの間に設けたところの当該スライドプレートを所定のスライド位置から開成方向と閉成方向へスライド付勢されるスライド付勢手段とを有することを特徴とする、小型電子機器の開閉装置。
【請求項２】
前記スライドプレートの下面には、前記第１リンクレバー及び第２リンクレバーを覆うカバープレートが取り付けられていることを特徴とする、請求項１に記載の小型電子機器の開閉装置。
【請求項３】
前記スライドプレートとカバープレートには、前記第１の筐体と第２の筐体を電気的に接続するケーブルのケーブル挿通孔が設けられると共に、前記スライドプレートとカバープレートとの間には前記ケーブル挿通孔を開閉するシャッター板が前記第１リンクレバー及び第２リンクレバーの動きに対応してスライド可能に設けられることを特徴とする、請求項２に記載の小型電子機器の開閉装置。
【請求項４】
前記スライド付勢手段は、前記第１リンクレバー及び第２リンクレバーの自由端側を連結するリンクレバーガイドピンへ取り付けられたスプリングリンクレバーと、このスプリングリンクレバーの自由端側にその一端部を取り付け、他端部を前記第１リンクレバー及び第２リンクレバーの一方のものが前記スライドプレートに設けた湾曲ガイド溝と係合しているガイドピンに取り付けられたスプリングとで構成されていることを特徴とする、請求項１に記載の小型電子機器の開閉装置。
【請求項５】
請求項１乃至４に各記載の開閉装置を第１の筐体と第２の筐体の間に設けたことを特徴とする、小型電子機器。
【発明の詳細な説明】
【技術分野】
【０００１】
本発明は、携帯端末機、携帯電話機、ＰＣ等の小型電子機器に用いて好適な開閉装置並びにこの開閉装置を用いた小型電子機器に関する。
【背景技術】
【０００２】
上述した小型電子機器において、上面にキーボード部を有する第１の筐体と同じく上面にディスプレイ部を有する第２の筐体とを互いに重ね合わせた閉成状態から水平方向へスライドさせて第１の筐体を露出させた開成状態を作り出すスライド式の開閉装置として、下記特許文献１に記載されたものが公知である。
【０００３】
この従来公知のスライド式の開閉装置は、第２の筐体の下面側に一対のレールを設け、第１の筐体の上面後部側に前記各レールとスライド可能に係合するスライダーを設けてあり、スムーズなスライド動作を行うためにスライド量に限界があり、その開成操作時に第１の筐体の上面を露出させる量に限度があるため、キーの大きさや数に限界があるという問題があった。この問題点は、平面矩形状を呈した第１の筐体と第２の筐体を短手方向に開閉させる方式のものにあってはさらに増幅された。
【先行技術文献】
【特許文献】
【０００４】
【特許文献１】特開２００９−１１７９５８号公報
【発明の概要】
【発明が解決しようとする課題】
【０００５】
本発明は、上記問題を解決しようとするもので、リンク機構を用いることにより、強度をアップし、小型電子機器の第１の筐体に対する第２の筐体の開成時に第１の筐体の上面の露出量をアップして、キーを大きくしたり、キーの数を増やしたりすることのできる上に、サブモニターを設けることのできる小型電子機器の開閉装置並びにこの開閉装置を用いた小型電子機器を提供せんとするにある。
【課題を解決するための手段】
【０００６】
上述した目的を達成するために、本発明は、第１の筐体と第２の筐体の間に設けられ、第１の筐体と第２の筐体を互いに重なり合った閉成状態と、第１の筐体と第２の筐体を相対的に水平方向へスライドさせて第１の筐体の上面を露出させる開成状態を作り出す開閉装置であって、第１の筐体の上面後端部両側に旋回可能に取り付けられた第１リンクレバー及び第２リンクレバーと、第２の筐体の下面に取り付けられると共に前記第１リンクレバー及び第２リンクレバーの自由端側と係合して前記第１リンクレバー及び第２リンクレバーの旋回動作に伴なってスライド動作するスライドプレートと、前記第１リンクレバー及び第２リンクレバーの一方或は双方とスライドプレートとの間に設けられたところの前記スライドプレートを所定のスライド位置から開成方向と閉成方向へスライド付勢させるスライド付勢手段とを有することを特徴とする。
【０００７】
その際に、前記スライドプレートの下面には、前記第１リンクレバー及び第２リンクレバーを覆うカバープレートを取り付けることが好ましい。
【０００８】
本発明はまた、前記スライドプレートとカバープレートには、前記第１の筐体と第２の筐体を電気的に接続するケーブルのケーブル挿通孔が設けられると共に、前記スライドプレートとカバープレートとの間には前記ケーブル挿通孔を開閉するシャッター板が前記第１リンクレバー及び第２リンクレバーの動きに対応してスライド可能に設けられることを特徴とする。
【０００９】
本発明はまた、前記スライド付勢手段を、前記第１リンクレバー及び第２リンクレバーの自由端側を連結するリンクレバーガイドピンへ取り付けられたスプリングリンクレバーと、このスプリングリンクレバーの自由端側にその一端部を取り付け、他端部を前記第１リンクレバー及び第２リンクレバーの一方のものが前記スライドプレートに設けた湾曲ガイド溝と係合しているガイドピンに取り付けられたスプリングとで構成することを特徴とする。
【００１０】
そして、本発明は、上記開閉装置を、第１の筐体と第２の筐体との間に設けたことを特徴とする小型電子機器である。
【発明の効果】
【００１１】
本発明は、以上のように構成したので、第１リンクレバー及び第２リンクレバーによって、第２の筐体の第１の筐体に対するスライド幅が広がることから、第１の筐体の上面の露出幅を大きくしてキーボード部の操作キーの数を増やしたり、或は操作キーを操作し易いように大きくすることができる上に、強度をアップし、サブモニターをも設けることができるという効果を奏しうる。
【図面の簡単な説明】
【００１２】
【図１】本発明を実施した小型電子機器の閉成状態の斜視図である。
【図２】図１に示した閉成状態から、第１の筐体に対して第２の筐体を開いた際の中間開成状態の斜視図である。
【図３】図２に示した状態からさらに第１の筐体を第２の筐体に対して全開成状態にした状態の斜視図である。
【図４】図１の閉成状態における開閉装置の状態を示す斜視図である。
【図５】図２の中間開成状態における開閉装置の状態を示す斜視図である。
【図６】図３の全開成状態における開閉装置の状態を示す斜視図である。
【図７】本発明に係る小型電子機器の開閉装置の分解斜視図である。
【図８】第１リンクレバー及び第２リンクレバーとスライド付勢手段の動きを説明するための説明図である。
【図９】一方の第１リンクレバーの斜視図である。
【図１０】他方の第２リンクレバーの斜視図である。
【図１１】スプリングリンクレバーの斜視図である。
【図１２】スプリングの斜視図である。
【発明を実施するための形態】
【００１３】
以下に本発明の実施例を、小型電子機器の一例であるポケット型コンピュータに実施した場合について説明するが、本発明を実施する小型電子機器は、ポケット型コンピュータに限定されるものではなく、携帯電話機、小型ゲーム機、ＰＤＡその他の携帯端末機等に実施することが可能である。
【実施例１】
【００１４】
図面によれば、図１乃至図３において、指示記号１で示したものが、ポケット型コンピュータであり、指示記号２と３で示したものが、第１の筐体と第２の筐体である。第１の筐体２の上面にはキーボード部２ａが設けられ、第２の筐体３の上面にはディスプレイ部３ａが設けられている。開閉装置４は、第１の筐体２と第２の筐体３の間に設けられており、その詳細は次のとおりである。
【００１５】
即ち、本発明に係る開閉装置４は、図１乃至図１２に示したように、第１の筐体２の上面後端部両側に旋回可能に取り付けられた第１リンクレバー５及び第２リンクレバー６と、第２の筐体３の下面に取り付けられると共に前記第１リンクレバー５及び第２リンクレバー６の自由端側と係合して前記第１リンクレバー５及び第２リンクレバー６の旋回動作に伴なってスライド動作するスライドプレート７と、前記第１リンクレバー５に作用して前記スライドプレート７をその所定のスライド位置から当該スライドプレート７を開成方向と閉成方向へスライド付勢させるスライド付勢手段８とを有している。
【００１６】
一方の第１リンクレバー５は、とくに図９に示したように、その基端部側に連結孔５ａを、他端部側にガイド長孔５ｂを、略中央部にガイドピン取付孔５ｃを有し、連結孔５ａ側に第１折曲部５ｄが、ガイドピン取付孔５ｃ側に第２折曲部５ｅが設けられている。他方の第２リンクレバー６も、とくに図１０に示したように、その基端部側に第１連結孔６ａを、他端部側に第２連結孔６ｂを、略中央部にガイドピン取付孔６ｃを有し、第１連結孔６ａ側に第１折曲部６ｄが、ガイドピン取付孔６ｃを挟んで第２折曲部６ｅと第３折曲部６ｆが設けられると共に、連結ピン取付孔６ｇがさらに設けられている。
【００１７】
そして、各第１リンクレバー５及び第２リンクレバー６は、その連結孔５ａと第１連結孔６ａをそれぞれ取付ビス９とカラー１０を介して、第１の筐体２の上面後端部両側に設けた取付孔２ｂ、２ｂへ水平方向へ旋回可能に軸着させている。
【００１８】
スライドプレート７は、平面略矩形状のもので、その両側に位置して上下方向へ一対の平面略くの字形状を呈した湾曲ガイド溝７ａと円弧状の湾曲ガイド溝７ｂが設けられていると共に、その手前側に第１ケーブル挿通孔７ｃが設けられ、この第１ケーブル挿通孔７ｃの上側に位置して水平方向にリンクレバーガイド溝７ｄが設けられると共に、一対の湾曲ガイド溝７ａ、７ｂと第１ケーブル挿通孔７ｃの間にストレート状の一対のシャッター板ガイド溝７ｅ、７ｅが上下方向に設けられている。
【００１９】
そして、一対の湾曲ガイド溝７ａ、７ｂは、第１リンクレバー５及び第２リンクレバー６の各ガイドピン取付孔５ｃと６ｃに取り付けたガイドピン１１ａ、１１ｂが挿入係合されると共に、リンクレバーガイド溝７ｄに、第２リンクレバー６の第２連結孔６ｂに取り付けたリンクレバーガイドピン１２が係合している。このリンクレバーガイドピン１２はまた、第１リンクレバー５のガイド長孔５ｂと係合すると共に、スライド付勢手段８のスプリングリンクレバー１３の一端部に設けた連結孔１３ａに固着されている。
【００２０】
シャッター板１４は、スライドプレート７の下側に位置しその両端部に設けた取付孔１４ａ、１４ａへ取り付けたシャッター板ガイドピン１５、１６をシャッター板ガイド溝７ｅ、７ｅと係合させると共に、水平方向に設けたシャッター板ガイド溝１４ｂを第２リンクレバー６のガイドピン取付孔６ｃへ取り付けたシャッター板押圧ピン１４ｃと係合させている。
【００２１】
スライド付勢手段８は、スプリングリンクレバー１３と、このスプリングリンクレバー１３に設けた取付突起１３ｂに一端部に設けた係合部１７ａを係合固定させ、他端部に設けた連結部１７ｂを第１リンクレバー５のガイドピン１１ａへ取り付けたスプリング１７とで構成されている。
【００２２】
指示記号１８で示したものが、平面矩形状を呈したカバープレートであり、このカバープレート１８は、第２ケーブル挿通孔１８ａを有し、スライドプレート７の下面に所定間隔を空けて取り付けられ、このカバープレート１８とスライドプレート７の間に、第１リンクレバー５及び第２リンクレバー６や、スライド付勢手段８及びシャッター板１４が設置され、外部から目隠しされている。尚、とくに図７に示したように、第２の筐体３に点線で表示されたものは、ガイドピン１１ａ、１１ｂとリンクレバーガイドピン１２の逃がし溝３ｃ、３ｃと３ｄである。そして、カバープレート１８とスライドプレート７の間にスペーサー２０を介在させて、第２の筐体３へ４本の取付ネジ１９で一体に固定されている。
【００２３】
次に、本発明に係る開閉装置の作用効果について説明する。今、図１と図４及び図８に示したように、第１の筐体２と第２の筐体３が重なり合った閉成状態にあっては、開閉装置４の第１リンクレバー５及び第２リンクレバー６は共に手前側に旋回して閉成位置にあって、スライド付勢手段８のスプリング１７の弾力によりスプリングリンクレバー１３を介して第１リンクレバー５及び第２リンクレバー６が共に手前側へ旋回した状態を保つことで、第１の筐体２と第２の筐体３を閉成状態でロックさせている。この時に第１リンクレバー５及び第２リンクレバー６の各ガイドピン１１ａ、１１ｂは、スライドプレート７の湾曲ガイド溝７ａ、７ｂの上部側の始端部ａ、ａに位置しており、リンクレバーガイドピン１２は、リンクレバーガイド溝７ｄの右側の始端部ｄに位置している。さらに、シャッター板１４のシャッター板ガイドピン１５、１６をシャッター板ガイド溝７ｅ、７ｅの上端部側の始端部ｆ、ｆに位置させている。
【００２４】
この閉成状態から、第２の筐体３を開成方向へ押してやると、最初はスライド付勢手段８のスプリング１７の押圧力に抗する抵抗に遭遇するが、第１リンクレバー５及び第２リンクレバー６が共に後方へ旋回するので、リンクレバーガイドピン１２を介してスライドプレート７がカバープレート１８と共に後方へスライドして第２の筐体３が第１の筐体２に対して開かれる。
【００２５】
即ち、図２と図５及び図８に示したように、第２の筐体３が閉成位置から丁度中間位置まで開かれると、第１リンクレバー５及び第２リンクレバー６は、共に後方へ旋回してほぼ直線状態になって、リンクレバーガイドピン１２は湾曲ガイド溝７ａ、７ｂの中間位置ｂ、ｂへ移動し、リンクレバーガイドピン１２は、リンクレバーガイド溝７ｄの左側へ移動し、その終端部ｅに達する。さらに、シャッター板ガイドピン１５、１６は、シャッター板ガイド溝７ｅ、７ｅの中間位置にあって、シャッター板１４は第１及び第２ケーブル挿通孔７ｃと１８ａの約半分を覆い始めている。また、その中間開成状態において、スライド付勢手段８のスプリング１７は左方向へ旋回して撓んだ状態にある。
【００２６】
この中間開成状態から第２の筐体３をさらに開成方向へ押すと、第１リンクレバー５及び第２リンクレバー６は共に後方へ旋回して図３と図６及び図８に示したように、スライドプレート７が後方へ自動的にスライドして第２の筐体３は第１の筐体２に対して全開成状態となり、キーボード部２ａの操作キーの操作が可能となる。
【００２７】
この全開成状態において、ガイドピン１１ａ、１１ｂは、湾曲ガイド溝７ａ、７ｂの手前側の終端部ｃ、ｃに達しており、リンクレバーガイドピン１２は、リンクレバーガイド溝７ｄの始端部ｄに達している。また、シャッター板１４のシャッター板ガイドピン１５、１６は、シャッター板ガイド溝７ｅ、７ｅの手前側の終端部ｇ、ｇに達して、第１及び第２ケーブル挿通孔７ｃと１８ａを覆っている。
【００２８】
そして、この全開成状態において、スライド付勢手段８のスプリング１７がスプリングリンクレバー１３を介して第１リンクレバー５及び第２リンクレバー６を後方へ押しているので、このスプリング１７の弾力により保持され、ロック状態を保つことになる。また、この全開成状態において、カバープレート１８により、第１リンクレバー５及び第２リンクレバー６やシャッター板１４やスライド付勢手段８等は、外部より見えないように隠されている。さらに、第１の筐体２と第２の筐体３を電気的に接続する図示してないケーブルもシャッター板１４によって外部から見えないように隠されている。
【００２９】
この全開成状態から、第２の筐体３を手前側へ押すと、上述したのと逆の作用により、第２の筐体３は第１の筐体２に対して中間開成状態から自動的に閉じられ、閉成状態でスプリング１７の弾力によりロック状態となる。
【００３０】
一方のスライド付勢手段８側の湾曲ガイド溝７ａが、平面略くの字形状を呈しているのは、スライド付勢手段８の動きを滑らかにするためのものである。
【００３１】
本発明に係る開閉装置４は、第２の筐体３の第１の筐体２に対するスライド機構に第１の筐体２の上面後部両端部へ軸着した第１リンクレバー５及び第２リンクレバー６を採用したので、第２の筐体３に取り付けたスライドプレート７と係合する従来公知のレール部材を第１の筐体２側へ残す必要のなくなったことから、第２の筐体３の第１の筐体２に対する全開成状態において、第１の筐体２の露出する上面の量（面積）を従来公知のものよりも広く取ることができたものであり、この点に大きな特徴がある。さらに、従来のスライド機構に比べて強度をアップしサブモニターを設けることができるように成した点にも特徴がある。
【００３２】
このことによって、本発明に係る開閉装置４は、第１の筐体２の上面に設けるキーボード部２ａのキーの数を増やしたり、大きくしたりすることが可能となり、機能向上や操作性の向上を図ることができるものである。
【産業上の利用可能性】
【００３３】
本発明は以上のように構成したので、ポケット型コンピュータや小型ゲーム機、ＰＤＡ、携帯電話機等のキーボード部を上面に設けた第１の筐体と、上面にディスプレイ部を設けた第２の筐体を有する小型電子機器の開閉装置として好適に用いられるものである。
【符号の説明】
【００３４】
１  小型電子機器（ポケット型コンピュータ）
２  第１の筐体
３  第２の筐体
４  開閉装置
５  第１リンクレバー
６  第２リンクレバー
７  スライドプレート
７ａ、７ｂ  湾曲ガイド溝
７ｃ  第１ケーブル挿通孔
８  スライド付勢手段
１１ａ、１１ｂ  ガイドピン
１２  リンクレバーガイドピン
１３  スプリングリンクレバー
１４  シャッター板
１７  スプリング
１８  カバープレート
１８ａ  第２ケーブル挿通孔
【図１】
2011205503.tif 000003
【図２】
2011205503.tif 000004
【図３】
2011205503.tif 000005
【図４】
2011205503.tif 000006
【図５】
2011205503.tif 000007
【図６】
2011205503.tif 000008
【図７】
2011205503.tif 000009
【図８】
2011205503.tif 000010
【図９】
2011205503.tif 000011
【図１０】
2011205503.tif 000012
【図１１】
2011205503.tif 000013
【図１２】
2011205503.tif 000014